(57)【特許請求の範囲】
【請求項１】
給水源に接続されて飲用水を供給する給水管路に設けられた第１給水弁と、該第１給水弁の下流側に設けられて前記給水管路を介して前記給水源から供給される飲用水を飲料調理機器に供給する第２給水弁と、を備える飲料供給装置において、
前記第２給水弁の弁作動差圧を前記第１給水弁の弁作動差圧より小さい弁作動差圧としたことを特徴とする飲料供給装置。
【請求項２】
前記第１給水弁および前記第２給水弁の開閉動作を制御する制御手段をさらに備え、
前記制御手段は、前記第１給水弁および前記第２給水弁が開放されている状態から前記第１給水弁および前記第２給水弁の閉止動作制御を行うときには、前記第１給水弁を閉止してから所定時間経過後、前記第２給水弁を閉止することを特徴とする請求項１に記載の飲料供給装置。
【請求項３】
前記第２給水弁のうち少なくとも１つの前記第２給水弁の弁作動差圧を前記給水源から供給される給水圧より大きい値とし、
前記飲料供給装置の電源が通電したときに、前記制御手段は、弁作動差圧を前記給水源から供給される給水圧より大きい値とした前記第２給水弁を開放動作させて前記第１給水弁から下流側の前記給水管路内の圧力を無くするように制御することを特徴とする請求項1に記載の飲料供給装置。
【請求項４】
弁作動差圧を前記給水源から供給される給水圧より大きい値とした前記第２給水弁は、温水タンクに飲用水を供給する温水タンク給水弁、または、冷却水槽に飲用水を供給する冷却水槽給水弁のいずれかであることを特徴とする請求項３に記載の飲料供給装置。
【発明の詳細な説明】
【技術分野】
【０００１】
本発明は、原料を湯水で希釈した飲料をカップなどの飲料容器に供給する飲料供給装置に関する。
【背景技術】
【０００２】
茶葉などの粉末原料を湯水で希釈した飲料をカップなどの飲料容器に供給する飲料供給装置が知られている。例えば、このような飲料供給装置は、モーターが駆動されると収容している茶葉などの粉末原料を供給する粉末原料キャニスタ、冷却コイルを通流させることにより冷却水槽で冷却された冷水を供給する複数の給水管路、電気ヒータで加熱された温水を供給する温水タンク、原料と温水や冷水（湯水）とを混合するミキシングボールなどを備えており、ミキシングボールで原料と温水や冷水を混合した混合液を飲料としてカップなどの飲料容器に供給するように構成されている（例えば、特許文献１参照）。
【０００３】
このように構成されている飲料供給装置の概略構成を図５に示す。図５において、１０は水道に接続されて飲用水を供給する給水管路、１１は給水管路１０に設けられた第１給水弁、１２は温水タンク（図示せず）に飲用水を供給する温水タンク給水弁、１３は冷却水槽１４に貯留している冷却水に浸漬されて通流する飲用水を冷却して冷水とする冷却コイル、１７は冷却水槽１４に貯留している冷却水を補充するための冷却水槽給水弁、１８（１８ａ〜１８ｅ）は給水管路１０を分岐させた給水管路１０ａ〜１０ｅのそれぞれに設けられた冷水給水弁である。なお、給水管路１０ａ〜１０ｅ、冷水給水弁１８ａ〜１８ｅは、供給飲料の種類数に対応させて設けられ、例えば、本飲料供給装置では５系統の給水管路１０ａ〜１０ｅ、冷水給水弁１８ａ〜１８ｅが設けられている。
【０００４】
そして、例えば、ミキシングボール１（Ｍ／Ｂ１）に冷水を供給する場合には、図６のタイミングチャート図に示しているように、第１給水弁１１と冷水給水弁１８（１８ａ）を開放してミキシングボール１へ冷水を供給し、予め定められている時間が経過すると第１給水弁１１と冷水給水弁１８（１８ａ）を閉止してミキシングボール１への冷水の供給を停止するようにしている。
【先行技術文献】
【特許文献】
【０００５】
【特許文献１】特開２０１３−１６２９１３号公報
【発明の概要】
【発明が解決しようとする課題】
【０００６】
このように構成されている飲料供給装置では、第１給水弁１１、温水タンク給水弁１２、冷却水槽給水弁１７、冷水給水弁１８の各々に直接水道の給水圧（０．１〜０．６ＭＰａ）がかかるため、この給水圧がかかっている状態で第１給水弁１１、温水タンク給水弁１２、冷却水槽給水弁１７、冷水給水弁１８としての電磁弁を動作させる必要がある。
【０００７】
このように、第１給水弁１１、温水タンク給水弁１２、冷却水槽給水弁１７、冷水給水弁１８として用いられる電磁弁は、水道の給水圧より高い圧力で動作可能な仕様のもの（例えば、最大弁作動差圧０．８ＭＰａ）を備える必要がある。しかしながら、弁作動差圧の高い仕様の電磁弁は、弁を開閉駆動するソレノイドが大型化してコストが高くなるとともに、消費電力が大きくなるという問題があった。
【０００８】
本発明は、以上のような課題を解決するためになされたものであり、給水弁として弁作動差圧の低い電磁弁を使用することにより、コストが安く、消費電力を少なくすることができる飲料供給装置を提供することを目的とする。
【課題を解決するための手段】
【０００９】
上記の目的を達成するために、本発明の請求項１に係る飲料供給装置は、給水源に接続されて飲用水を供給する給水管路に設けられた第１給水弁と、該第１給水弁の下流側に設けられて前記給水管路を介して前記給水源から供給される飲用水を飲料調理機器に供給する第２給水弁と、を備える飲料供給装置において、
前記第２給水弁の弁作動差圧を前記第１給水弁の弁作動差圧より小さい弁作動差圧としたことを特徴とする。
【００１０】
また、本発明の請求項２に係る飲料供給装置は、上述した請求項１において、前記第１給水弁および前記第２給水弁の開閉動作を制御する制御手段をさらに備え、
前記制御手段は、前記第１給水弁および前記第２給水弁が開放されている状態から前記第１給水弁および前記第２給水弁の閉止動作制御を行うときには、前記第１給水弁を閉止してから所定時間経過後、前記第２給水弁を閉止することを特徴とする。
【００１１】
また、本発明の請求項３に係る飲料供給装置は、上述した請求項１において、前記第２給水弁のうち少なくとも１つの前記第２給水弁の弁作動差圧を前記給水源から供給される給水圧より大きい値とし、
前記飲料供給装置の電源が通電したときに、前記制御手段は、弁作動差圧を前記給水源から供給される給水圧より大きい値とした前記第２給水弁を開放動作させて前記第１給水弁から下流側の前記給水管路内の圧力を無くするように制御することを特徴とする。
【００１２】
また、本発明の請求項４に係る飲料供給装置は、上述した請求項３において、弁作動差圧を前記給水源から供給される給水圧より大きい値とした前記第２給水弁は、温水タンクに飲用水を供給する温水タンク給水弁、または、冷却水槽に飲用水を供給する冷却水槽給水弁のいずれかであることを特徴とする。
【発明の効果】
【００１３】
請求項１の発明によれば、給水源に接続されて飲用水を供給する給水管路に設けられた第１給水弁と、該第１給水弁の下流側に設けられて前記給水管路を介して前記給水源から供給される飲用水を飲料調理機器に供給する第２給水弁と、を備える飲料供給装置において、前記第２給水弁の弁作動差圧を前記第１給水弁の弁作動差圧より小さい弁作動差圧としたことにより、給水弁として弁作動差圧の低い電磁弁を使用することにより、コストが安く、消費電力を少なくすることができる飲料供給装置を提供することが可能となる。
【００１４】
また、請求項２の発明によれば、前記第１給水弁および前記第２給水弁の開閉動作を制御する制御手段をさらに備え、前記制御手段は、前記第１給水弁および前記第２給水弁が開放されている状態から前記第１給水弁および前記第２給水弁の閉止動作制御を行うときには、前記第１給水弁を閉止してから所定時間経過後、前記第２給水弁を閉止することにより、第２給水弁の閉止動作を行うときには給水管路内の残圧が略０ＭＰａになり、弁に圧力がかかっていないため、給水弁として弁作動差圧の低い電磁弁を使用することにより、コストが安く、消費電力を少なくすることができる飲料供給装置を提供することが可能となる。
【００１５】
また、請求項３の発明によれば、前記第２給水弁のうち少なくとも１つの前記第２給水弁の弁作動差圧を前記給水源から供給される給水圧より大きい値とし、前記飲料供給装置の電源が通電したときに、前記制御手段は、弁作動差圧を前記給水源から供給される給水圧より大きい値とした前記第２給水弁を開放動作させて前記第１給水弁から下流側の前記給水管路内の圧力を無くするように制御することにより、停電などの飲料供給装置の異常停止で、給水管路内に高い圧力が残った場合でも、弁作動差圧の低い電磁弁が開かなくなることを回避することができるので、給水弁として弁作動差圧の低い電磁弁を使用することにより、コストが安く、消費電力を少なくすることができる飲料供給装置を提供することが可能となる。
【００１６】
また、請求項４の発明によれば、弁作動差圧を前記給水源から供給される給水圧より大きい値とした前記第２給水弁は、温水タンクに飲用水を供給する温水タンク給水弁、または、冷却水槽に飲用水を供給する冷却水槽給水弁のいずれかであることにより、温水タンク給水弁、または、冷却水槽給水弁のいずれかから供給された飲用水が飲料供給装置の外部に流れ出すことを防ぐことができる。
【図面の簡単な説明】
【００１７】
【図１】本発明の実施の形態である飲料供給装置の概略構成を説明する概念図である。
【図２】図１に示した飲料供給装置の制御構成を示す制御ブロック図である。
【図３】図１に示した飲料供給装置の制御構成を示すタイミングチャート図である。
【図４】図１に示した飲料供給装置の制御構成を示すタイミングチャート図である。
【図５】従来の飲料供給装置の概略構成を説明する概念図である。
【図６】図５に示した飲料供給装置の制御構成を示すタイミングチャート図である。
【発明を実施するための形態】
【００１８】
以下、図面を参照しながら、本発明に係る飲料供給装置の好適な実施の形態について詳細に説明する。なお、この実施の形態によりこの発明が限定されるものではない。また、従来と同一構成に関しては同一符号を用いる。
【００１９】
この実施の形態の飲料供給装置は、茶葉などの粉末原料を湯水で希釈した飲料をカップなどの飲料容器に供給するものである。
【００２０】
図１は、本発明の実施の形態である飲料供給装置の概略構成を説明する概念図である。
【００２１】
図１に示すように、１０は水道（給水源）に接続されて飲用水を供給する給水管路（例えば、給水圧０．１〜０．６ＭＰａ）、１１は給水管路１０に設けられた第１給水弁（例えば、最大弁作動差圧０．８ＭＰａ）、１２は温水タンク（図示せず）に飲用水を供給する温水タンク給水弁（例えば、最大弁作動差圧０．８ＭＰａ）、１３は冷却水槽１４に貯留している冷却水に浸漬されて通流する飲用水を冷却して冷水とする冷却コイル、１５は冷却水槽１４に貯留している冷却水を補充するための冷却水槽給水弁（例えば、最大弁作動差圧０．１ＭＰａ）、１６（１６ａ〜１６ｅ）は給水管路１０を分岐させた給水管路１０ａ〜１０ｅのそれぞれに設けられた冷水給水弁（第２給水弁、例えば、最大弁作動差圧０．１ＭＰａ）である。なお、温水タンク給水弁１２の最大弁作動差圧を０．８ＭＰａとし、冷却水槽給水弁１５の最大弁作動差圧を０．１ＭＰａとして例示しているが、温水タンク給水弁１２の最大弁作動差圧を０．１ＭＰａとし、冷却水槽給水弁１５の最大弁作動差圧を０．８ＭＰａとしてもよい。また、給水管路１０ａ〜１０ｅ、冷水給水弁１６ａ〜１６ｅは、供給飲料の種類数に対応させて設けられ、例えば、本飲料供給装置では５系統の給水管路１０ａ〜１０ｅ、冷水給水弁１６ａ〜１６ｅが設けられている。このように、冷却水槽給水弁１５、冷水給水弁１６として弁作動差圧の低い電磁弁を使用することにより、コストが安く、消費電力を少なくすることができる飲料供給装置を提供することができる。
【００２２】
図２は、本発明の実施の形態である飲料供給装置の制御ブロック図を示し、飲料供給装置での飲料の調理などを制御する制御部（制御手段）９０は、中央処理装置としてのＣＰＵ９１、ＣＰＵ９１の制御プログラムを格納するＲＯＭ（リード・オンリー・メモリ）９２、ＣＰＵ９１の制御に必要な各種のプログラムやデータを随時記憶するＲＡＭ（ランダム・アクセス・メモリ：例えば、第１給水弁１１や冷水給水弁１６の開閉時間を記憶する）９３、基準クロック発生部（図示せず）で発生するクロックをカウントして各種時刻を計時するタイマー９４、飲料供給装置に備えられている各機器に通電する電力回路を有する通電部９５から構成されている。
【００２３】
また、制御部９０には、飲料供給装置の各種設定データ（例えば、第１給水弁１１や冷水給水弁１６の開閉時間）を入力するリモコン９６、所望の飲料を選択するための飲料選択ボタン９７が接続されている。さらに、制御部９０は、第１給水弁１１、温水タンク給水弁１２、冷却水槽給水弁１５、冷水給水弁１６への通電制御を行う。
【００２４】
そして、例えば、ミキシングボール１（Ｍ／Ｂ１）に冷水を供給する場合には、図３のタイミングチャート図に示しているように、制御部９０は、第１給水弁１１と冷水給水弁１６（１６ａ）を開放してミキシングボール１へ冷水を供給し、予め定められている時間が経過すると第１給水弁１１を閉止し、第１給水弁１１を閉止してから所定時間（例えば、０．３秒）が経過後、冷水給水弁１６（１６ａ）を閉止してミキシングボール１への冷水の供給を停止するようにしている。
【００２５】
このように制御部９０が第１給水弁１１と冷水給水弁（第２給水弁）１６の開閉動作を制御することで、冷水給水弁１６の閉止動作を行うときには給水管路１０内の残圧が略０ＭＰａ（ゼロＭＰａ）になり、弁に圧力がかかっていないため、冷水給水弁１６として弁作動差圧の低い電磁弁を使用することにより、コストが安く、消費電力を少なくすることができる飲料供給装置を提供することができる。
【００２６】
また、第２給水弁のうち少なくとも１つの第２給水弁（例えば、温水タンク給水弁１２、または、冷却水槽給水弁１５）の弁作動差圧を水道（給水源）から供給される給水圧（例えば、給水圧０．１〜０．６ＭＰａ）より大きい値（例えば、最大弁作動差圧０．８ＭＰａ）とし、停電などで飲料供給装置の異常停止後、飲料供給装置の電源が通電したときには、図４に示しているように、制御部９０は、弁作動差圧を水道から供給される給水圧より大きい値とした、例えば、温水タンク給水弁１２を開放動作（例えば、１秒）させて第１給水弁１１から下流側の給水管路１０内の圧力（例えば、圧力０．４ＭＰａ）を抜いて略０ＭＰａ（ゼロＭＰａ）になるように制御することにより、停電などの飲料供給装置の異常停止で、給水管路１０内に高い圧力が残った場合でも、弁作動差圧の低い電磁弁が開かなくなることを回避することができるので、冷水給水弁１６として弁作動差圧の低い電磁弁を使用することにより、コストが安く、消費電力を少なくすることができる飲料供給装置を提供することができる。
【００２７】
以上説明したように本発明によれば、水道（給水源）に接続されて飲用水を供給する給水管路１０に設けられた第１給水弁１１と、第１給水弁１１の下流側に設けられて給水管路１０を介して水道から供給される飲用水をミキシングボールなどの飲料調理機器に供給する冷水給水弁（第２給水弁）１６と、を備える飲料供給装置において、冷水給水弁１６の弁作動差圧を第１給水弁１１の弁作動差圧より小さい弁作動差圧としたことにより、冷水給水弁１６として弁作動差圧の低い電磁弁を使用することにより、コストが安く、消費電力を少なくすることができる飲料供給装置を提供することが可能となる。
【００２８】
また、第１給水弁１１および冷水給水弁１６の開閉動作を制御する制御部９０をさらに備え、制御部９０は、第１給水弁１１および冷水給水弁１６が開放されている状態から第１給水弁１１および冷水給水弁１６の閉止動作制御を行うときには、第１給水弁１１を閉止してから所定時間（例えば、０．３秒）が経過後、冷水給水弁１６を閉止することにより、冷水給水弁１６の閉止動作を行うときには給水管路１０内の残圧が略０ＭＰａ（ゼロＭＰａ）になり、弁に圧力がかかっていないため、冷水給水弁１６として弁作動差圧の低い電磁弁を使用することにより、コストが安く、消費電力を少なくすることができる飲料供給装置を提供することが可能となる。
【００２９】
また、温水タンク給水弁１２、または、冷却水槽給水弁１５の弁作動差圧を水道から供給される給水圧（例えば、給水圧０．１〜０．６ＭＰａ）より大きい値（例えば、最大弁作動差圧０．８ＭＰａ）とし、停電などで飲料供給装置の異常停止後、飲料供給装置の電源が通電したときに、制御部９０は、弁作動差圧を水道から供給される給水圧より大きい値とした温水タンク給水弁１２、または、冷却水槽給水弁１５を開放動作させて第１給水弁１１から下流側の給水管路１０内の圧力を抜いて略０ＭＰａ（ゼロＭＰａ）になるように制御することにより、停電などの飲料供給装置の異常停止で、給水管路１０内に高い圧力が残った場合でも、弁作動差圧の低い電磁弁が開かなくなることを回避することができるので、冷水給水弁１６として弁作動差圧の低い電磁弁を使用することにより、コストが安く、消費電力を少なくすることができる飲料供給装置を提供することが可能となる。
【００３０】
また、停電などで飲料供給装置の異常停止後、飲料供給装置の電源が通電したときに、制御部９０は、弁作動差圧を水道から供給される給水圧より大きい値とした温水タンク給水弁１２、または、冷却水槽給水弁１５を開放動作させて第１給水弁１１から下流側の給水管路１０内の圧力を無くするように制御することにより、温水タンク給水弁１２、または、冷却水槽給水弁１５のいずれかから供給された飲用水が飲料供給装置の外部に流れ出すことを防ぐことができる。
【符号の説明】
【００３１】
１０      給水管路
１１      第１給水弁
１２      温水タンク給水弁
１３      冷却コイル
１４      冷却水槽
１５      冷却水槽給水弁
１６      冷水給水弁（第２給水弁）
９０      制御部（制御手段）
【図１】
0006350053.tif 000002
【図２】
0006350053.tif 000003
【図３】
0006350053.tif 000004
【図４】
0006350053.tif 000005
【図５】
0006350053.tif 000006
【図６】
0006350053.tif 000007